(57)【要約】【課題】滑らかに折り畳み・展開動作できることから、操作性に優れるとともに、騒音、振動発生が抑制される折り畳みベッドを提供する。【解決手段】第１、第２の載置枠の各向き合う他端部を水平となる展開状態と逆Ｖ字状の折り畳み状態との間で展開・折り畳み可能かつ前記第１、第２の載置枠の巾を合わせて枢支するとともに、この枢支部から垂下でき前記展開状態で第１、第２の載置枠を支持する中間脚体、前記支持体と中間脚体との間を継ぎ前記第１の載置枠とともに平行クランク機構をなす第１のリンク、該中間脚体と前記脚体との間を継ぎ前記第２の載置枠とともに平行クランク機構をなす第２のリンク、及び第１、第２の載置枠を折畳み方向に付勢するバネ手段を具え、しかも前記支持体は、マットを載置した折畳み状態の第１、２の載置枠を収納でき、かつ前記他端部側に開口部を有する収納部を具える箱状をなすことを特徴とする。【選択図】図１
0003122271.tif 000002
【実用新案登録請求の範囲】
【請求項１】
マット半体を載置しうる第１の載置枠と、この第１の載置枠の一端部を支持する支持体とを有する第１のベッド枠体、
他のマット半体を載置しうる第２の載置枠と、この第２の載置枠の一端部を支持する脚体とを有する第２のベッド枠体を有し、
前記第１、第２の載置枠の各向き合う他端部を水平となる展開状態と逆Ｖ字状の折り畳み状態との間で展開・折り畳み可能かつ前記第１、第２の載置枠の巾を合わせて枢支するとともに、
この枢支部から垂下でき前記展開状態で第１、第２の載置枠を支持する中間脚体、
前記支持体と中間脚体との間を継ぎ前記第１の載置枠とともに平行クランク機構をなす第１のリンク、
該中間脚体と前記脚体との間を継ぎ前記第２の載置枠とともに平行クランク機構をなす第２のリンク、
及び第１、第２の載置枠を折畳み方向に付勢するバネ手段を具え、
しかも前記支持体は、マットを載置した折畳み状態の第１、２の載置枠を収納でき、かつ前記他端部側に開口部を有する収納部を具える箱状をなすことを特徴とする折畳みベッド。
【請求項２】
前記枢支部は、第１の載置枠の前記他端部と、前記第２の載置枠の他端部とが折り畳み可能に、各他端部に間隔を隔てて枢着する枢着点を具えた連結金具を有し、
かつ前記中間脚体は、該連結金具から垂下する両側の中間柱を有することを特徴とする請求項１記載の折り畳みベッド。
【請求項３】
前記第１のリンクは、一端部が、前記第１の載置枠と支持体との支持点下方で該支持体に枢着され、かつ第２のリンクは、一端部が前記第２の載置枠と前記脚体との支持点下方で枢着されるとともに、第１、第２のリンクの他端部は、前記中間脚体の下面よりも上方かつ前記中間柱を継ぐ中間継ぎ材に、かつ前記枢着点と同じ間隔でしかも前記巾の中間を通って枢着されたことを特徴とする請求項１又は２記載の折り畳みベッド。
【請求項４】
前記脚体は、第２の載置枠の前記巾方向に分かれて配置された一対のサイド車輪と、前記巾の中間、かつサイド車輪に対し前記他端部側に位置ずれしたセンター車輪とを有し、
第２の載置枠は、その他端部が平面視三角形状に配されたセンター車輪及びサイド車輪によって安定して支持されることを特徴とする請求項１〜３のいずれかに記載の折り畳みベッド。
【請求項５】
前記支持体は、縦にのびる枠体と、この枠体の上部に配される上覆い部と、この上覆い部の周縁から垂下するとともに開閉可能な遮蔽幕とを有し、
前記第１、第２の載置枠は、逆Ｖ字状に折り畳まれて収納部に収容されるとともに、遮蔽幕によって覆われることを特徴とする請求項１〜４のいずれかに記載の折り畳みベッド。
【考案の詳細な説明】
【技術分野】
【０００１】
本考案は、展開・折り畳み動作がスムースに行なえることから、操作に大きな力を必要とせず、しかも静かに取扱いできる折り畳みベッドに関する。
【背景技術】
【０００２】
必要な際に取り出して使用される簡易ベッドなどとしては、第１のベッド半体と、第２のベッド半体とを枢着して構成し、第１、第２のベッド半体を水平に展開してベッドとして使用し、不使用時には逆Ｖ字状に折り畳んでコンパクトに収納できる折り畳みベッドが多く用いられている。
【０００３】
更に本出願人は、図９に示すように、折り畳んだベッドを、納戸などの収納場所に出し入して保管する手間を省くため、第１のベッド半体ａの一端部を、箱状の収納庫ｂに枢着して、不使用時は、第１、第２のベッド半体ａ、ｅを折り畳むことによって収納庫ｂ内部に自動的に収容され、更にカーテンｄによって全面を隠すことのできる折り畳みベッドを提案している（例えば、特許文献１参照）。
【０００４】
【特許文献１】実用新案登録３００３３８５号公報
【考案の開示】
【考案が解決しようとする課題】
【０００５】
しかしながら、前記の折り畳みベッドにおいて、第１のベッド半体ａは、収納庫ｂに枢着されることから、この枢着点を中心として確実に傾動動作するが、相方の第２のベッド半体ｅは、第１のベッド半体ａの他端部に枢着されるものの、キャスターｆで支持された一端部側は自由に動作する。そのため展開・折り畳み動作の際、第１、第２のベッド半体ａ、ｅ間で挙動に差異が生じることから、スムースな動作が得られず、強い力で操作する必要があり、更には軋み、振動などを生じて、静かな夜間には下階に騒音が伝わるなどの改善の余地があった。
【０００６】
本考案は、支持体と中間脚体との間を継ぎ第１の載置枠とともに平行クランク機構をなす第１のリンク、及び中間脚体と脚体との間を継ぎ第２の載置枠とともに平行クランク機構をなす第２のリンクを設けることを基本とし、滑らかに折り畳み・展開動作できることから、操作性に優れるとともに、騒音、振動発生が抑制される折り畳みベッドの提供を課題としている。
【課題を解決するための手段】
【０００７】
前記目的を達成するために、請求項１に係る考案では、マット半体を載置しうる第１の載置枠と、この第１の載置枠の一端部を支持する支持体とを有する第１のベッド枠体、他のマット半体を載置しうる第２の載置枠と、この第２の載置枠の一端部を支持する脚体とを有する第２のベッド枠体を有し、前記第１、第２の載置枠の各向き合う他端部を水平となる展開状態と逆Ｖ字状の折り畳み状態との間で展開・折り畳み可能かつ前記第１、第２の載置枠の巾を合わせて枢支するとともに、この枢支部から垂下でき前記展開状態で第１、第２の載置枠を支持する中間脚体、前記支持体と中間脚体との間を継ぎ前記第１の載置枠とともに平行クランク機構をなす第１のリンク、該中間脚体と前記脚体との間を継ぎ前記第２の載置枠とともに平行クランク機構をなす第２のリンク、及び第１、第２の載置枠を折畳み方向に付勢するバネ手段を具え、しかも前記支持体は、マットを載置した折畳み状態の第１、２の載置枠を収納でき、かつ前記他端部側に開口部を有する収納部を具える箱状をなすことを特徴とする。
【０００８】
請求項２に係る考案では、前記枢支部は、第１の載置枠の前記他端部と、前記第２の載置枠の他端部とが折り畳み可能に、各他端部に間隔を隔てて枢着する枢着点を具えた連結金具を有し、かつ前記中間脚体は、該連結金具から垂下する両側の中間柱を有し、また請求項３に係る考案において、前記第１のリンクは、一端部が、前記第１の載置枠と支持体との支持点下方で該支持体に枢着され、かつ第２のリンクは、一端部が前記第２の載置枠と前記脚体との支持点下方で枢着されるとともに、第１、第２のリンクの他端部は、前記中間脚体の下面よりも上方かつ前記中間柱を継ぐ中間継ぎ材に、かつ前記枢着点と同じ間隔でしかも前記巾の中間を通って枢着されたことを特徴とする。
【０００９】
請求項４に係る考案では、前記脚体は、第２の載置枠の前記巾方向に分かれて配置された一対のサイド車輪と、前記巾の中間、かつサイド車輪に対し前記他端部側に位置ずれしたセンター車輪とを有し、第２の載置枠は、その他端部が平面視三角形状に配されたセンター車輪及びサイド車輪によって安定して支持され、また請求項５に係る考案において、前記支持体は、縦にのびる枠体と、この枠体の上部に配される上覆い部と、この上覆い部の周縁から垂下するとともに開閉可能な遮蔽幕とを有し、前記第１、第２の載置枠は、逆Ｖ字状に折り畳まれて収納部に収容されるとともに、遮蔽幕によって覆われることを特徴とする。
【考案の効果】
【００１０】
請求項１に係る考案においては、支持体と中間脚体との間を第１のリンクで継ぐことにより第１の載置枠とともに平行クランク機構を形成し、中間脚体と脚体との間を第２のリンクで継ぐにより第２の載置枠とともに平行クランク機構を形成していることから、第１、第２の載置枠を展開・折り畳み動作させる場合に、変形を生じることなくスムースに動作できるため、非力な女性、或いは高齢者が操作する場合でも、楽にかつ安全に取扱いできる。またバネ手段を設けることにより、第１、第２の載置枠を折畳み方向に付勢しているが、第１の載置枠側および第２の載置枠側の双方において、平行クランク機構が構成されているため、可動部分に捻れなど変形が生じにくいことから、バネ力がロスなく有効に作用して、滑らかな折り畳み動作が確保される。逆に、展開時においては、バネ力と重力とのバランスの上に操作者の力が加わることにより、前記クランク機構が有効に作用して、滑らかな展開動作が得られるため、安全でかつ静かな取扱いができる。
【００１１】
請求項２に係る考案のように、第１の載置枠の他端部と、第２の載置枠の他端部とを間隔を隔てて枢着する枢着点を具えた連結金具によって、第１、第２の載置枠を折り畳み可能に連結すると、折り畳まれた第１、第２の載置枠の間に形成される空所に中間脚体、バネ手段などが収容できることから、構成部材相互が干渉することなく、第１、第２の載置枠をスムースに折り畳むことができる。
【００１２】
請求項３に係る考案のように、第１のリンクの一端部を、第１の載置枠と支持体との支持点下方において、この支持体に枢着するとともに、第２のリンクの一端部を、第２の載置枠と脚体との支持点下方で枢着すると、第１、第２のリンクの双方の一端部が確実に枢着されて、第１、第２の載置枠とともに滑らかに動作できる平行クランク機構を構成することができる。
【００１３】
請求項４に係る考案のように、第２の載置枠の一端部を支持する脚体に、平面視三角形状に配された一対のサイド車輪と、センター車輪を設けると、第２の載置枠の一端部側が床面上を走行可能に支持されるとともに、第１、第２の載置枠の展開・折り畳み動作において、平行クランク機構の作用と相俟って、第２の載置枠一端側が、鼎状に配置された三つの車輪によって、安定状態で支持されることから、折り畳みベッドの取扱いが容易となり、夜間などの静寂な環境においても、騒音、振動を生じることなく、滑らかに動作させることができる。
【００１４】
請求項５に係る考案のように、縦にのびる枠体と、この枠体の上部に配される上覆い部と、この上覆い部の周縁から垂下する遮蔽幕とにより支持体を構成すると、堅牢な支持体が形成されることから、第１の載置枠の一端部を安定して支持できる。さらにこの支持部の内部に形成された収納部に、逆Ｖ字状に折り畳まれた第１、第２の載置枠を収容できる。さらに収容された第１、第２の載置枠を遮蔽幕を用いて覆うことにより、未使用時の外観を高めることができるとともに、マット半体に対する埃などの付着を抑制できる。
【考案を実施するための最良の形態】
【００１５】
以下、本考案の実施の一形態を、図示例とともに説明する。図１に示すように、折り畳みベッド１は、第１のベッド枠体５と、第２のベッド枠体８と、この第１、第２のベッド枠体５、８を展開・折り畳み可能に枢支する枢支部９と、この枢支部９から垂下する中間脚体１０と、第１、第２のベッド枠体５、８とともに各々平行クランク機構を構成する第１、第２のリンク１２、１３と、バネ手段１４とを具える。
【００１６】
前記第１のベッド枠体５は、第１の載置枠３と、この第１の載置枠３の一端部を支持する支持体４とを含み構成される。前記第１の載置枠３は、図２に示すように、角パイプなどを用いた枠材を平面視略コ字状ないし矩形状（本例ではコ字状）に折り曲げた主枠３Ａと、巾方向にのびる補強材３Ｂとを一体に固着して形成される。そしてこの第１の載置枠３は、ベッド長さの略半分の長さ（例えば９００〜１０００mm）に形成される。なお図６に示すように、前記主枠３Ａの一端部から垂下する受片３８が設けられる。
【００１７】
図１に示すように、第１の載置枠３の上には、寝具などを受けるマット半体２が載置される、このマット半体２は、ボルト（図示せず）を用いて第１の載置枠３に固着される。このマット半体２は、矩形フレーム２Ａと、この矩形フレーム２Ａの内側に縦横に架け渡される中軸２Ｂと、矩形フレーム２Ａの内側全面に張設されるネット体２Ｄと、このネット体２Ｄ上に載置されるウレタンフォーム、ポリエチレンフォームなどのスポンジ２Ｅと、これら全体を覆う袋状のカバー２Ｆとからり、平面視第１の載置枠３と略同大の矩形状をなしている。なお本形態では、マット半体２の上に、一般家庭用の敷布団を載せて使用することから、マット半体２の厚さは例えば、５０mm程度に薄くコンパクトに形成されている。従って、敷布団を外した場合には、取扱性に優れる点で好ましい。
【００１８】
前記支持体４は、図１、８に示すように、前記第１の載置枠３の一端部側に配置され、第１の載置枠３側に向かって開いた開口部１５を有する箱状に形成されるととも、内部に前記開口部１５から出し入れできる収納部１６が形成される。
【００１９】
この支持体４は、本形態では、縦長の枠体２３と、この枠体２３の上部に配される上覆い部２４と、この上覆い部２４の周縁から垂下する遮蔽幕２５とを含み構成されるものを例示している。さらに前記枠体２３は、巾方向の両側部に一対配置される竪枠３１、３１と、この竪枠３１、３１の下端部間に架け渡される下枠３２と、竪枠３１、３１の中位に架け渡される横梯子状の補強枠３３と、竪枠３１の下端部から前方へ向いてのびる底枠３４と、この底枠３４から立ち上がり前記竪枠３１の前方で平行に並ぶ前竪枠３５とからる。なお本明細書で、第１、第２の載置枠３、６の巾を単に巾といい、またこの巾方向に直行する方向で、支持体４が配置される側を後とする。
【００２０】
前記上覆い部２４は、巾方向に長い長矩形状をなし、前記竪枠３１、及び前竪枠３５の上端部に固着された枠体（図示せず）に、シート材を張設して形成される。
【００２１】
図８に示すように前記遮蔽幕２５は、上覆い部２４の周縁から垂下するとともに、床面に届く長さを有する。また遮蔽幕２５は、枠体２３の後面乃至巾方向両側面に連続して張設される固定幕２５Ｆと、枠体２３の前面にカーテン状に開閉可能に配される開閉幕２５Ｍとを含み構成されたものが例示される。この開閉幕２５Ｍは、上覆い部２４の前縁に取り付けられた支持レール（図示せず）に移動可能に支持されている。このように支持体４には、上覆い部２４及び固定幕２５Ｆによって囲まれた箱状の収納部１６が形成され、かつこの収納部１６は、開閉幕２５Ｍを開けた際、前に向けて開く開口部１５を有している。なお前記上覆い部２４、遮蔽幕２５は、綿（コットン）、毛（ウール）、絹、麻などの天然繊維、ナイロン、ビニロン、レーヨン、ポリエステル、アクリル、ポリウレタン、ポリクラールなどの化学繊維を用いた布地、或いはポリエチレン樹脂、ポリプロピレン樹脂、ポリスチレン樹脂、フェノール樹脂、不飽和ポリエステル樹脂などのプラスチックシート材などが用いられる。
【００２２】
図６に示すように、前記支持体４の前竪枠３５の下部には、巾方向内側を向くとともに、頬杖状の三角支持板３６によって下から支えられた支持軸３７が設けられる。前記支持軸３７によって、前記第１の載置枠３の受片３８が回転中心Ｐ１において軸着され、これにより第１の載置枠３は、一端部側を芯として傾動可能に支持される。このように本形態において、第１の載置枠３の一端部は、縦にのびる枠体２３と、この枠体２３に支持される上覆い部２４とを含み構成される堅牢な支持体４によって軸支されるため、例え激しく動作しても第１の載置枠３が安定した状態で支持される点で好ましい。
【００２３】
前記第２のベッド枠体８は、第２の載置枠６と、この第２の載置枠６の一端部を支持する脚体７とを含み構成される。第２の載置枠６は、前記第１の載置枠３と略同様に構成され、主枠６Ａと、巾方向にのびる一対の補強材６Ｂ、６Ｂと、一端部寄りの補強材６Ｂ及び主枠６Ａの間に架け渡される継ぎ材６Ｃとからなる。そしてこの第２の載置枠６にも、前記と同様のマット半体２が載置固着される。
【００２４】
前記脚体７は、本形態では図１、５に示すように、第２の載置枠６の継ぎ材６Ｃに上端部が回転中心Ｐ２において軸着され、巾方向に一対が配され、下部の折り曲げ部が前へ向くＬ字脚７Ａ、７Ａと、このＬ字脚７Ａ、７Ａ間に架け渡されて巾方向にのびる継ぎ軸７Ｂと、この継ぎ軸７Ｂの中央部から後へ向けて水平にのびる枝軸７Ｃとを含み構成されたものが例示される。そして、前記各々のＬ字脚７Ａ、７Ａの先端部に、サイド車輪２１が取り付けられ、枝軸７Ｃの先端部にセンター車輪２２が取り付けられる。しかして、サイド車輪２１、２１と、その中央部で前に位置ずれして配されたセンター車輪２２とは、平面視三角形状に配置されるため第２の載置枠６の一端部側を安定した状態で、しかも床面上を軽快に走行可能に支持できる点で好ましい。
【００２５】
前記第１、第２の載置枠３、６は、各々が巾を合わせて、連続する位置に配置されるとともに、枢支部９を介し、向き合う他端部同士を水平に揃う展開状態と、逆Ｖ字状の折り畳み状態との間で展開・折り畳み可能に枢着している。図４に示すように本形態の枢支部９は、第１、第２の載置枠３、６の各々の主枠３Ａ、６Ａの向き合う一端部を、両側から挟む一対の側板１８Ａ、１８Ａと、これらの下端部をつなぐ底板１８Ｂとからなる連結金具１８を用いて構成される。そして各々の主枠３Ａ、３Ａの向き合う一端部及び側板１８Ａ、１８Ａに対し、例えば１００〜３００ｍｍ程度の間隔Ｄで前後に離れて並ぶボルトなどの支軸３９、３９が各々挿通され、これにより第１、第２の載置枠３、６を各々枢着する枢着点１７、１７を形成している。図中４０は、可動部を覆って安全を向上するため、連結金具１８の上に冠着するカバーである。
【００２６】
前記巾方向に並ぶ一対の連結金具１８から中間柱１９が垂下し、さらに双方の中間柱１９、１９の下端部間を巾方向にのびる水平軸４１で連結することによりＵ字状の中間脚体１０が設けられる。図３に示すように、この中間脚体１０は第１、第２の載置枠３、６が展開状態の際に、第１、第２の載置枠の他端部の荷重を支持でき、これにより第１、第２の載置枠３、６の水平な姿勢を安定して維持できる。さらに前記中間柱１９、１９の間には、前記水平軸４１の上に平行に並び、中間脚体１０の下面よりも上方に配置された中間継ぎ材２０が架け渡される。
【００２７】
前記第１のリンク１２は、第１の載置枠３の下方で、かつ巾の略中間を通って配される。そして図６に示すように、第１のリンク１２の一端部側は、前記支持体４の下枠３２の中央部から他端部に向きのびる中底枠４２に立設された上に開く横コ字状の軸受け片４３に、回転中心Ｐ３において軸着される。なお図３に示すように、回転中心Ｐ３は、側面視第１の載置枠３と支持体４との支持点である回転中心Ｐ１よりも下方に位置する。また図４に示すように第１のリンク１２の他端部側は、前記中間継ぎ材２０の中央部に一体に設けられた、前後に向く支持板４５に回転中心Ｐ４において軸着される。しかも前記回転中心Ｐ３、Ｐ４の間隔（第１のリンク１２の長さ）と、回転中心Ｐ１乃至枢着点１７の間隔とが同寸法に形成されるととともに、枢着点１７乃至回転中心Ｐ４の間隔と、回転中心Ｐ１、Ｐ３の間隔とが同寸法に形成される。従って、支持体４、中間脚体１０、第１の載置枠３、及び第１のリンク１２によって平行クランク機構１１が形成される。
【００２８】
同様に、前記第２のリンク１３は、第２の載置枠６の下方で、かつ巾の略中間を通って配される。そして図５に示すように、第２のリンク１３の一端部側は、前記継ぎ軸７Ｂの略中央部に立設される上に開く横コ字状の軸受け片４３に、回転中心Ｐ５において軸着される。なお図３に示すように、回転中心Ｐ５は、側面視第２の載置枠６と脚体７との支持点である回転中心Ｐ２よりも下方に位置する。また図４に示すように、第２のリンク１３の他端部側は、前記支持板４５に回転中心Ｐ６において軸着される。前記第１の載置枠３側と同様、前記回転中心Ｐ５、Ｐ６の間隔（第２のリンク１３の長さ）と、回転中心Ｐ２乃至枢着点１７との間隔が同寸法に形成されるとともに、枢着点１７乃至回転中心Ｐ６の間隔と、回転中心Ｐ２、Ｐ５の間隔とが同寸法に形成されることから、脚体７、中間脚体１０、第２の載置枠６、及び第２のリンク１３によって平行クランク機構１１が形成される。なお前記一対の平行クランク機構１１、１１において、各々の回転中心Ｐ４、Ｐ６は、前記支持板４５上で前後に離れて形成され、その間隔は前記第１、第２の載置枠３、６を枢着した枢着点１７、１７と同間隔で構成されている。
【００２９】
前記バネ手段１４は、本形態では、第１の載置枠３の下部に配される第１のつる巻きバネＳ１と、第２の載置枠６の下部に配される第２の巻きバネＳ２とを含み構成されたものが例示される。図６、５に示すように、第１、第２のつる巻きバネＳ１、Ｓ２は、各々の一端部が第１の載置枠３の主枠３Ａ、第２の載置枠６の補強材３Ｂ、６Ｂに各々設けられたフックＦに取り付けられる。一方図４に示すように、第１、第２のつる巻きバネＳ１、Ｓ２の他端部から連続してのびる紐状体４４が補強材３Ｂ、６Ｂの下部に設けた滑車４６に係合して向きを斜め下方向にかえると共に前記中間継ぎ材２０に設けた固定部４７に固着され、これにより第１、第２のつる巻きバネＳ１、Ｓ２の他端部が固定される。
【００３０】
しかして、第１、第２のつる巻きバネＳ１、Ｓ２の引張力により、中間継ぎ材２０と滑車４６を設けた双方の補強材３Ｂ、６Ｂとが引き合う作用を生じることから、第１、第２の載置枠３、６を、折り畳み方向に付勢する力が作用する。そのため、第１、第２の載置枠３、６を逆Ｖ字状に折り畳む際、比較的小さな力でスムースに動作できる結果、高齢者、年少者、或いは女性でも簡単かつ安全に折り畳み操作ができる。また折り畳んだ状態から展開する際には、重力を伴った加速度的な動きが、前記バネ手段１４の作用により緩和されるため、減速された展開動作が得られることから、安全性を高めるとともに、振動、騒音を減じることができる。
【００３１】
しかも、支持体４と中間脚体１０との間を継いだ第１のリンク１２及び第１の載置枠３を含み、回転中心Ｐ１、Ｐ３、Ｐ４及び枢着点１７をリンク支点とする平行クランク機構１１と、中間脚体１０と脚体７との間を継いだ第２のリンク１３及び第２の載置枠６とを含み、回転中心Ｐ２、Ｐ５、Ｐ６及び枢着点１７をリンク支点とする平行クランク機構１１が形成されることから、第１、第２の載置枠３、６が展開・折り畳み動作する際、捻れなど変形を生じることなくスムースに動作できる。従って、前記バネ手段１４の作用と相俟って、非力な高齢者、年少者、或いは女性であっても、楽にかつ安全に操作できる。
【００３２】
また前記の如く第１、第２の載置枠３、６双方の側において、平行クランク機構１１の作用によって、可動部分に捻れが生じにくいため、バネ手段１４のバネ力が有効に働きスムースな折り畳み動作が得られる。また展開動作時は、重力とバネ力とが相殺される上に使用者が力を加えて操作することになるが、平行クランク機構１１の作用によりバネ力がロスなく発揮されて重力とバランスできることから、滑らかで静かな展開動作が得られ、安全性も向上する。
【００３３】
本形態では、第１の載置枠３と支持体４との支持点である回転中心Ｐ１の下方の回転中心Ｐ３において、第１のリンク１２一端部を支持体４に枢着し、第２の載置枠６と脚体７との支持点である回転中心Ｐ２の下方の回転中心Ｐ５において、第２のリンク１３の一端部を前記継ぎ軸７Ｂに枢着することから、第１、第２のリンク１２、１３の一端部は、確実に枢着されるため、第１、第２の載置枠３、６ととも形成される平行クランク機構１１は滑らかに動作できる。
【００３４】
また前記のように本形態では、第１、第２の載置枠３、６の他端部を、連結金具１８の間隔を隔てて形成された枢着点１７、１７に各々枢着することによって折り畳み可能に連結すると、折り畳まれた第１、第２の載置枠３、６の間に空所が形成される。その結果、この中にバネ手段１４、中間脚体１０などを収容することができることから、構成部材相互の干渉を防止して、第１、第２の載置枠をスムースに折り畳むことができる。
【００３５】
第１の載置枠３の一端部は、前記の如く支持体４の支持軸３７に軸着することによって、不動の回転中心Ｐ１を中心として回動可能に支持されることから、図７に示すように第１、第２の載置枠３、６が折り畳み動作する際は、第２の一端部の設けた脚体７が支持体４の方向へ向けて床面Ｆを高速で移動することにより、第１、第２の載置枠３、６は、支持体４に近接しつつ逆Ｖ字状に折り畳みされる。また逆に第１、第２の載置枠３、６を展開する際は、前記脚体７が支持体４から離れる方向へ床面Ｆを高速で移動する。しかしながら本形態の脚体７の脚体７は、平面視三角形状に配された一対のサイド車輪２１、２１と、センター車輪２２を有するため、脚体７が床面Ｆ上を激しく移動したとしても、鼎状に配置された三つの車輪によって滑らかに走行できることから、脚体７は安定して支持される。その結果、前記平行クランク機構１１の作用と相俟って、折り畳みベッドの取扱いが容易となるとともに、夜間などの静寂な環境においても、騒音、振動を生じることなく、滑らかに展開・折り畳み動作させることができる。
【００３６】
さらに本形態では、第１の載置枠３、第１のリンク１２の一端側は、支持体４の不動点（回転中心Ｐ１、Ｐ３）で枢支されることから、未使用時には図８に示すように、第１、第２の載置枠３、６は、支持体４側へ移動するとともに逆Ｖ字状に折り畳まれ、かつ前記収納部１６の内部へ収容されるとともに、前記遮蔽幕２５によって覆われる。その結果第１、第２の載置枠３、６は未使用時には隠されることから、見栄えを向上できるとともに、マット半体２に埃などの付着を防止しうる。
【００３７】
尚、叙上の説明は本考案の実施の形態を例示したものである。従って本考案の技術的範囲はこれに何ら限定されるものではなく、前記した実施の形態の他にも、各種の変形例が含まれる。
【図面の簡単な説明】
【００３８】
【図１】本考案の一実施の形態を例示する分解斜視図である。
【図２】その平面図である。
【図３】その正面図である。
【図４】その要部拡大斜視図である。
【図５】その異なる箇所の要部拡大斜視図である。
【図６】その更に異なる箇所の要部拡大斜視図である。
【図７】展開・折り畳み動作途中の正面図である。
【図８】支持体内に収納された状態を例示する斜視図である。
【図９】従来例の斜視図である。
【符号の説明】
【００３９】
１      折り畳みベッド
２      マット半体
３      第１の載置枠
４      支持体
５      第１のベッド枠体
６      第２の載置枠
７      脚体
８      第２のベッド枠体
９      枢支部
１０      中間脚体
１１      平行クランク機構
１２      第１のリンク
１３      第２のリンク
１４      バネ手段
１５      開口部
１６      収納部
１７      枢着点
１８      連結金具
１９      中間柱
２０      中間継ぎ材
２１      サイド車輪
２２      センター車輪
２３      枠体
２４      上覆い部
２５      遮蔽幕
【図１】
0003122271.tif 000003
【図２】
0003122271.tif 000004
【図３】
0003122271.tif 000005
【図４】
0003122271.tif 000006
【図５】
0003122271.tif 000007
【図６】
0003122271.tif 000008
【図７】
0003122271.tif 000009
【図８】
0003122271.tif 000010
【図９】
0003122271.tif 000011